(57)【特許請求の範囲】
【請求項１】
筒内に燃料を噴射する噴射弁と、前記噴射弁から噴射される前記燃料を加圧する燃料ポンプと、前記噴射弁から噴射される前記燃料の実際の圧力である実噴射圧を検出する噴射圧センサと、排気中の所定成分を酸化雰囲気下で吸蔵し還元雰囲気下で還元する触媒と、を具備したエンジンの制御装置であって、
前記触媒から前記所定成分を還元させるパージ処理の要否を判定する判定部と、
メイン噴射が行なわれるメイン噴射時期と前記メイン噴射の完了後であってトルクに寄与しうるポスト噴射が行なわれるポスト噴射時期とに前記噴射弁から前記燃料を噴射させることで前記パージ処理を実施する制御部と、を備え、
前記制御部は、前記パージ処理を実施する場合には前記パージ処理を実施しない場合よりも前記噴射弁から噴射される目標噴射圧を高くなるよう切り替え、前記切り替えられた目標噴射圧に前記実噴射圧が収束するように前記燃料ポンプを制御するとともに、
前記制御部は、前記パージ処理中に前記実噴射圧が前記切り替えられた目標噴射圧に収束した際の前記ポスト噴射時期を所定のポスト噴射時期として設定し、前記実噴射圧が前記切り替えられた目標噴射圧に収束するまでの間は、前記噴射弁の前記切り替えられた目標噴射圧と前記実噴射圧とのずれ量が大きいほど、前記ポスト噴射時期を、前記所定のポスト噴射時期から大きく進角させる
ことを特徴とする、エンジンの制御装置。
【請求項２】
前記パージ処理の開始時点における前記筒内の温度である筒内温度を取得する取得部を備え、
前記制御部が、前記取得部で取得された前記筒内温度が低いほど前記ポスト噴射時期の進角量を増大させる
ことを特徴とする、請求項１記載のエンジンの制御装置。
【請求項３】
前記制御装置は、前記エンジンの低負荷運転の継続時間をカウントするものであり、
前記取得部が、前記継続時間が長いほど前記筒内温度が低下するという関係を、前記継続時間と前記筒内温度の低下量又は低下率との第一関係として予め取得しておき、前記カウントした継続時間と予め取得した前記第一関係とを用いて前記筒内温度を推定して取得する
ことを特徴とする、請求項２記載のエンジンの制御装置。
【請求項４】
前記エンジンは、所定条件の成立時に前記噴射弁からの燃料供給を遮断する燃料カット機能を有するとともに、前記制御装置は前記燃料供給が遮断された時間をカウントするものであり、
前記取得部は、前記遮断された時間が長いほど前記筒内温度が低下するという関係を、前記遮断された時間と前記筒内温度の低下量又は低下率との第二関係として予め取得しておき、前記カウントした時間と予め取得した前記第二関係とを用いて前記筒内温度を推定して取得する
ことを特徴とする、請求項２又は３記載のエンジンの制御装置。
【請求項５】
前記エンジンは、前記筒内温度と正の相関を持つパラメータである前記エンジンの冷却水温度を検出する冷却水温センサを具備し、
前記取得部が、前記筒内温度と前記冷却水温度との第三関係を予め取得しておき、前記冷却水温センサで検出された冷却水温度と予め取得した前記第三関係とを用いて前記筒内温度を推定して取得する
ことを特徴とする、請求項２〜４の何れか１項に記載のエンジンの制御装置。
【請求項６】
前記パージ処理中に前記実噴射圧が前記切り替えられた目標噴射圧に収束するまでの間、前記ずれ量が小さいほど前記メイン噴射でのメイン噴射量を少なく設定するとともに前記ずれ量が小さいほど前記ポスト噴射でのポスト噴射量を多く設定する設定部を備える
ことを特徴とする、請求項１〜５の何れか１項に記載のエンジンの制御装置。
【請求項７】
前記設定部が、前記ずれ量が大きいほど前記メイン噴射量が多くなるよう前記メイン噴射量と前記ポスト噴射量との噴射比率を設定する
ことを特徴とする、請求項６記載のエンジンの制御装置。
【発明の詳細な説明】
【技術分野】
【０００１】
本発明は、排気通路に触媒を備えたエンジンの制御装置に関し、触媒で吸蔵した排気中の所定成分を放出，還元させるパージ処理を実施するものである。
【背景技術】
【０００２】
従来、エンジンの排気浄化システムに適用される触媒の一つとして、排気中に含まれる窒素酸化物（以下、ＮＯｘという）を浄化するためのＮＯｘトラップ触媒（吸蔵還元触媒）が広く使用されている。ＮＯｘトラップ触媒は、排気中のＮＯｘをリーン雰囲気（酸化雰囲気）下で吸蔵するとともに、吸蔵したＮＯｘをリッチ雰囲気（還元雰囲気）下で放出し、ＮＯｘと炭化水素成分とを反応させることで窒素（Ｎ2）に還元するものである。
【０００３】
ＮＯｘトラップ触媒を備えたエンジンでは、吸蔵されたＮＯｘの量に応じて、ＮＯｘトラップ触媒からＮＯｘを放出，還元するためのパージ処理が適宜実施される。パージ処理とは、排気の空燃比をリーンからリッチに切り替えることにより、ＮＯｘトラップ触媒に吸蔵されたＮＯｘを放出，還元させる処理であり、ＮＯｘパージとも呼ばれる。空燃比をリーンからリッチに切り替えるための手法としては、例えば、メイン噴射に加えてメイン噴射後の所定の噴射時期に燃料を噴射する手法や、吸気を絞る手法等が挙げられる（特許文献１参照）。
【先行技術文献】
【特許文献】
【０００４】
【特許文献１】特許第５１１５８６９号公報
【発明の概要】
【発明が解決しようとする課題】
【０００５】
ところで、上記のパージ処理では、短時間で所定量の燃料を噴き切るとともに燃料が燃えやすくなるように、燃料の噴射圧の目標値が通常燃焼時よりも高く設定される。しかし、実際の噴射圧（実噴射圧）は目標値に向かって徐々に高まっていくため、通常燃焼からパージ処理に切り替えた直後は実噴射圧が目標値よりも小さい状態となる。これにより、パージ処理への切り替え直後では、所定量の燃料を噴き切ることが難しいうえ、燃料が燃えにくいことからトルクダウンが発生する場合がある。
【０００６】
なお、ＮＯｘトラップ触媒には、排気中の硫黄成分を吸蔵する性質があり、吸蔵された硫黄成分はＳパージと呼ばれるパージ処理が行われることでＮＯｘトラップ触媒から放出，除去される。このＳパージでは、上記のＮＯｘパージよりも触媒温度が高められるという違いはあるものの、ＮＯｘパージと同様に排気空燃比がリーンからリッチに切り替えられる。このため、エンジンの運転状態が通常燃焼からＳパージに切り替えられた直後においても、上記と同様にトルクダウンが発生するおそれがある。
【０００７】
本件は、このような課題に鑑み案出されたもので、エンジンの制御装置に関し、エンジンの運転状態を通常燃焼からパージ処理に切り替えた直後のトルクダウンを抑制することを目的の一つとする。なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００８】
（１）ここで開示するエンジンの制御装置は、筒内に燃料を噴射する噴射弁と、前記噴射弁から噴射される前記燃料を加圧する燃料ポンプと、前記噴射弁から噴射される前記燃料の実際の圧力である実噴射圧を検出する噴射圧センサと、排気中の所定成分を酸化雰囲気下で吸蔵し還元雰囲気下で還元する触媒と、を具備したエンジンの制御装置である。本制御装置は、前記触媒から前記所定成分を還元させるパージ処理の要否を判定する判定部と、メイン噴射が行なわれるメイン噴射時期と前記メイン噴射の完了後であってトルクに寄与しうるポスト噴射が行なわれるポスト噴射時期とに前記噴射弁から前記燃料を噴射させることで前記パージ処理を実施する制御部と、を備える。前記制御部は、前記パージ処理を実施する場合には前記パージ処理を実施しない場合よりも前記噴射弁から噴射される目標噴射圧を高くなるよう切り替え、前記切り替えられた目標噴射圧に前記実噴射圧が収束するように前記燃料ポンプを制御する。また、前記制御部は、前記パージ処理中に前記実噴射圧が前記切り替えられた目標噴射圧に収束した際の前記ポスト噴射時期を所定のポスト噴射時期として設定し、前記実噴射圧が前記切り替えられた目標噴射圧に収束するまでの間は、前記パージ処理での前記噴射弁の前記切り替えられた目標噴射圧と前記実噴射圧とのずれ量が大きいほど、前記ポスト噴射時期を、前記所定の前記ポスト噴射時期から大きく進角させる。
【０００９】
なお、前記ずれ量は、前記目標噴射圧と前記実噴射圧とのずれを表すパラメータであり、例えば前記目標噴射圧と前記実噴射圧との差や、前記目標噴射圧と前記実噴射圧との比がこれに含まれる。また、この比には、前記目標噴射圧に対する前記実噴射圧の比や、前記パージ処理の前後における目標噴射圧の変化量に対する前記実噴射圧の変化量の比や、前記パージ処理の前後における目標噴射圧の変化量に対する、前記目標噴射圧と前記実噴射圧との差の比が含まれる。
【００１０】
（２）本制御装置は、前記パージ処理の開始時点における前記筒内の温度である筒内温度を取得する取得部を備えることが好ましい。この場合、前記制御部は、前記取得部で取得された前記筒内温度が低いほど前記ポスト噴射時期の進角量を増大させることが好ましい。つまり、前記筒内温度が低いほど、前記ポスト噴射時期をより大きく進角させることが好ましい。
【００１１】
（３）前記制御装置は、前記エンジンの低負荷運転の継続時間をカウントするものであり、前記取得部は、前記継続時間が長いほど前記筒内温度が低下するという関係を、前記継続時間と前記筒内温度の低下量又は低下率との第一関係として予め取得しておき、前記カウントした継続時間と予め取得した前記第一関係とを用いて前記筒内温度を推定して取得することが好ましい。
（４）前記エンジンは、所定条件の成立時に前記噴射弁からの燃料供給を遮断する燃料カット機能を有するとともに、前記制御装置は前記燃料供給が遮断された時間をカウントするものであることが好ましい。この場合、前記取得部は、前記遮断された時間が長いほど前記筒内温度が低下するという関係を、前記遮断された時間と前記筒内温度の低下量又は低下率との第二関係として予め取得しておき、前記カウントした時間と予め取得した前記第二関係とを用いて前記筒内温度を推定して取得することが好ましい。
（５）前記エンジンは、前記筒内温度と正の相関を持つパラメータである前記エンジンの冷却水温度を検出する冷却水温センサを具備することが好ましい。この場合、前記取得部は、前記筒内温度と前記冷却水温度との第三関係を予め取得しておき、前記冷却水温センサで検出された冷却水温度と予め取得した前記第三関係とを用いて前記筒内温度を推定して取得することが好ましい。
【００１２】
（６）本制御装置は、前記パージ処理中に前記実噴射圧が前記切り替えられた目標噴射圧に収束するまでの間、前記ずれ量が小さいほど前記メイン噴射でのメイン噴射量を少なく設定するとともに前記ずれ量が小さいほど前記ポスト噴射でのポスト噴射量を多く設定する設定部を備えることが好ましい。言い換えると、前記設定部は、前記ずれ量が大きいほど、前記メイン噴射量を増大させるとともに前記ポスト噴射量を減少させることが好ましい。
（７）前記設定部は、前記ずれ量が大きいほど前記メイン噴射量が多くなるよう前記メイン噴射量と前記ポスト噴射量との噴射比率を設定することが好ましい。
【発明の効果】
【００１３】
開示のエンジンの制御装置によれば、エンジンの運転状態を通常燃焼からパージ処理に切り替えた直後のトルクダウンを抑制することができる。
【図面の簡単な説明】
【００１４】
【図１】実施形態の制御装置が適用されたエンジンの構成を示す模式図である。
【図２】（ａ）はエンジンの運転状態が通常燃焼からＮＯｘパージに切り替えられたときの噴射圧の変化を示すグラフであり、（ｂ）〜（ｅ）は噴射圧のずれ量に対するポスト噴射時期の進角補正について説明するための図である。
【図３】ＮＯｘパージの制御手順を示すフローチャート例である。
【図４】図３のサブフローチャートである。
【図５】（ａ），（ｂ）は、ずれ量に応じた係数Km，Kpを選択するためのマップ例である。
【図６】（ａ）は図２（ａ）と同一のグラフであり、（ｂ）は噴射圧のずれ量に基づいて設定されるメイン噴射量及びポスト噴射量を説明するための図であり、（ｃ）〜（ｅ）は各噴射量と噴射圧のずれ量に対するポスト噴射時期tpの進角補正とを併せて示した図である。
【図７】（ａ）は図２（ａ）と同一のグラフであり、（ｂ），（ｃ）は噴射圧のずれ量に基づいて設定される噴射比率，噴射量を説明するための図である。
【発明を実施するための形態】
【００１５】
図面を参照して、実施形態としてのエンジンの制御装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１６】
［１．第一実施形態］
［１−１．装置構成］
本実施形態の制御装置１は、車両に搭載されたディーゼルエンジン１０（以下、エンジン１０という）に適用される。図１には、多気筒のエンジン１０に設けられた複数のシリンダ１１のうちの一つを示す。シリンダ１１内にはピストンが摺動自在に内装され、ピストンの往復運動がコネクティングロッドを介してクランクシャフトの回転運動に変換される。
【００１７】
各シリンダ１１への燃料供給用のインジェクタとして、シリンダ１１内に直接的に燃料を噴射する筒内噴射弁１２が設けられる。筒内噴射弁１２からの燃料の噴射量，その噴射時期（噴射開始時点），その噴射期間は、制御装置１で制御される。例えば、制御装置１から筒内噴射弁１２に制御パルス信号が伝達され、その制御パルス信号の大きさに対応する期間（噴射期間）だけ、筒内噴射弁１２の噴孔が開放される。これにより、燃料噴射量及び噴射期間は制御パルス信号の大きさ（駆動パルス幅）に応じたものとなり、噴射時期は制御パルス信号が伝達された時刻に対応したものとなる。
【００１８】
筒内噴射弁１２は、コモンレール１３Ａを含む燃料供給路１３を介して流量可変型の燃料ポンプ１４に接続される。燃料ポンプ１４は、エンジン１０や電動機などから駆動力の供給を受けて作動し、燃料タンク内の燃料を燃料供給路１３に吐出する。これにより、燃料ポンプ１４で加圧された燃料が、燃料供給路１３からコモンレール１３Ａに供給されて蓄えられ、筒内噴射弁１２の噴孔が開放されるタイミングで各シリンダ１１へと供給される。燃料ポンプ１４から吐出される燃料量及びコモンレール１３Ａ内の圧力（筒内噴射弁１２の噴射圧）は、制御装置１で制御される。
【００１９】
本実施形態のエンジン１０は、所定条件の成立時に筒内噴射弁１２からの燃料供給を遮断する燃料カット機能を有する。この所定条件は、例えば車速が比較的高く、且つ、アクセルペダルの踏み込みがなくエンジンブレーキが作動していることである。一方、燃料カット中にアクセルペダルが踏み込まれた場合や、エンジン回転速度が比較的低回転域まで低下した場合には、燃料カットが終了する。このとき、エンジン１０への燃料供給が再開され、アイドル回転速度やアクセル操作量に応じたトルク（エンジン出力）が確保される。
【００２０】
各シリンダ１１の頂面には、吸気ポート１５及び排気ポート１６が設けられ、それぞれのポート開口には吸気弁１７及び排気弁１８が設けられる。吸気ポート１５の上流側にはインテークマニホールド２０（以下、インマニ２０という）が設けられ、このインマニ２０には、吸気ポート１５側へと流れる空気を一時的に溜めるためのサージタンク２１が設けられる。インマニ２０の上流端には、電子制御式のスロットル弁２２を内蔵したスロットルボディ（図示略）が接続され、このスロットル弁２２の開度（スロットル開度）に応じてインマニ２０側へ流れる吸気量が調節される。スロットル開度は制御装置１で制御される。スロットルボディの上流側には吸気通路２３が接続される。吸気通路２３の最上流にはエアフィルタ２４が設けられる。
【００２１】
一方、排気ポート１６の下流側にはエキゾーストマニホールド３０（以下、エキマニ３０という）が設けられ、このエキマニ３０の下流端には排気通路３１が接続される。
また、エンジン１０には、吸気通路２３と排気通路３１との両方にまたがって介装され、排気圧を利用して吸気を過給するターボチャージャ２５が設けられる。また、吸気通路２３におけるターボチャージャ２５のコンプレッサよりも下流側には、インタークーラ２６が設けられ、圧縮された吸気が冷却される。
【００２２】
本実施形態に係るエンジン１０には、排気通路３１を流通する排気を吸気通路２３へ還流させるＥＧＲ通路２７が設けられる。ＥＧＲ通路２７は、ターボチャージャ２５のタービンよりも上流側の排気通路３１とコンプレッサよりも下流側の吸気通路２３とを連通する。ＥＧＲ通路２７上には、ＥＧＲ通路２７を流通するＥＧＲガスを冷却するＥＧＲクーラ２８と、ＥＧＲガスの流量を調節するＥＧＲ弁２９とが設けられる。
【００２３】
排気通路３１におけるタービンよりも下流側には、排気を浄化する排気浄化装置３２が介装される。排気浄化装置３２は、触媒３２Ａとフィルタ３２Ｂとが内蔵されて構成される。触媒３２Ａは、酸化雰囲気下（排気の空燃比が理論空燃比よりもリーンな状態）で排気中のＮＯｘ（所定成分）を硝酸塩として担体上に吸蔵し、還元雰囲気下（排気の空燃比が理論空燃比よりもリッチな状態）で吸蔵したＮＯｘを放出し、ＮＯｘと炭化水素成分とを反応させることでＮ2に還元するＮＯｘトラップ触媒である。なお、フィルタ３２Ｂは、排気中の粒子状物質を捕集する多孔質フィルタである。
【００２４】
触媒３２Ａは、吸蔵しうるＮＯｘの量（最大量）が決まっており、吸蔵したＮＯｘの量（以下、ＮＯｘ吸蔵量Asという）が最大量（飽和状態）に近づくと吸蔵能力が低下する。このため、ＮＯｘ吸蔵量Asが最大量に近づいた場合には、触媒３２ＡからＮＯｘを放出，還元させるパージ処理（ＮＯｘパージ）が実施される。なお、この触媒３２Ａは、排気中の硫黄成分（所定成分）を吸蔵する性質がある。この硫黄成分が触媒３２Ａに多く吸蔵されると触媒３２ＡのＮＯｘ吸蔵能力が低下することから、触媒３２Ａから硫黄成分を放出，除去させるパージ処理（Ｓパージ）が適宜実施される。これらのパージ処理は、制御装置１によって実施される。
【００２５】
クランクシャフト近傍には、エンジン１０の回転速度を検出する回転速度センサ３３が設けられる。また、エンジン１０の冷却水の循環経路上における任意の位置には、エンジン１０の冷却水温度（水温WT）を検出する冷却水温センサ３４が設けられる。さらに、排気通路３１における触媒３２Ａの上流側には、排気の空燃比を検出する空燃比センサ３５及び排気温度を検出する排気温センサ３６が設けられる。
【００２６】
コモンレール１３Ａには、筒内噴射弁１２から噴射される燃料の圧力に対応するコモンレール圧（単に実噴射圧PACTとも呼ぶ）を検出する噴射圧センサ３７が設けられる。また、吸気通路２３におけるエアフィルタ２４の下流には、吸気量を検出するエアフローセンサ３８が設けられる。各種センサ３３〜３８で検出された各種情報は、制御装置１に伝達される。なお、エンジン１０には、これらのセンサ３３〜３８のほかにも、アクセルペダルの踏込み量を検出するアクセルポジションセンサや、吸気の圧力，温度，触媒３２Ａの下流側における空燃比をそれぞれ検出する吸気圧センサ，吸気温センサ，下流空燃比センサ等が設けられる。
【００２７】
上述のエンジン１０を搭載する車両には、エンジン１０に関する点火系，燃料系，吸排気系といった広汎なシステムを総合的に制御する制御装置１が設けられる。この制御装置１は、例えばマイクロプロセッサやＲＯＭ，ＲＡＭ等を集積したＬＳＩデバイスや組み込み電子デバイスとして構成され、車両に設けられた車載ネットワーク網の通信ラインに接続される。制御装置１は、エンジン１０の各シリンダ１１に対して供給される空気量や燃料噴射量，過給圧等を制御するものである。
【００２８】
制御装置１の入力ポートには、前述の各種センサ３３〜３８が接続される。制御装置１の具体的な制御対象としては、筒内噴射弁１２から噴射される燃料噴射量とその噴射時期及び噴射期間，ターボチャージャ２５の作動状態，スロットル開度，ＥＧＲ弁２９の開度等が挙げられる。本実施形態では、上記の触媒３２Ａに対するパージ処理のうち、ＮＯｘを放出，還元させるＮＯｘパージについて詳述する。
【００２９】
［１−２．制御構成］
ＮＯｘパージでは、吸気が絞られるとともに、還元剤としての燃料が筒内噴射弁１２からのポスト噴射によって触媒３２Ａに供給される。すなわち、ＮＯｘパージでは通常燃焼時と比べて、スロットル開度が小さくされるとともに、ポスト噴射での燃料噴射量（以下、ポスト噴射量Qpという）が増やされ、メイン噴射での燃料噴射量（以下、メイン噴射量Qmという）が減らされる。これらによって、触媒３２Ａの周辺雰囲気が還元雰囲気（リッチ雰囲気）にされるとともに触媒３２Ａが昇温されて、ＮＯｘが除去される。
【００３０】
ここでいうポスト噴射とは、触媒３２Ａのパージ処理を実施，促進するための燃料噴射態様の一つであり、アフター噴射や早期ポスト噴射とも呼ばれる。ポスト噴射の燃料は、メイン噴射よりも遅いタイミングで（メイン噴射の完了時から所定のインターバル時間を空けて）噴射される。そのため、噴射された燃料がシリンダ１１内で完全には燃焼せず、一部のみがトルクに寄与する。シリンダ１１内で燃焼しなかった燃料は、エキマニ３０や排気通路３１内での燃焼反応により排気温度を上昇させ、あるいは排気浄化装置３２に供給されて還元雰囲気を形成する。
【００３１】
ポスト噴射で発生するトルクの大きさは、筒内温度や燃料の噴射タイミングに応じて変化する。例えば、パージ処理の開始直後のように筒内温度が低い状態では、トルク発生量が比較的小さく、筒内温度が上昇するに連れてトルクの発生量が増加する。また、ポスト噴射の噴射タイミングが遅いほど「後燃え傾向」が強まり、トルクに寄与する燃料量が減少してトルク発生量が減少する。反対に、噴射タイミングが早いほど、ポスト噴射の総噴射量に占めるトルク寄与分の割合が増加し、トルク発生量が増加する。本実施形態におけるポスト噴射の実施期間は、メイン噴射の完了後であって、圧縮上死点後（ATDC）120°程度までの期間内に設定される。以下、ポスト噴射が開始される時点をポスト噴射時期tpといい、ポスト噴射が実施される期間をポスト噴射期間kpという。
【００３２】
一方、メイン噴射とは、噴射した燃料が基本的には完全燃焼してトルクに寄与する噴射方式であり、圧縮上死点付近で一度だけ燃料噴射する方式や、圧縮上死点よりも前のタイミングと圧縮上死点付近とで複数回に分けて燃料噴射する方式などが含まれる。本実施形態におけるメイン噴射の実施期間は、予め所定のタイミングに設定される。以下、メイン噴射が開始される時点をメイン噴射時期tmといい、メイン噴射が実施される期間をメイン噴射期間kmという。
【００３３】
通常燃焼からＮＯｘパージに切り替えられてから所定の規定時間が経過した後に、スロットル弁２２が予め設定されたスロットル開度に制御されて吸気が絞られる。その後、筒内噴射弁１２の目標噴射圧PTGTが通常燃焼時の目標噴射圧PnTGTからＮＯｘパージでの目標噴射圧PpTGTに変更される。また、排気空燃比の目標値（目標空燃比）が、通常燃焼時の値から予め設定されたＮＯｘパージでの目標空燃比（例えば14）になるように徐々に変更される。ＮＯｘパージでの目標噴射圧PpTGTは、通常燃焼時の目標噴射圧PnTGTよりも高圧である。このようにＮＯｘパージでの目標噴射圧PpTGTを高めることで、燃料がより燃焼しやすくなるとともに、短時間で所定量の燃料を噴き切ることが可能となる。なお、目標噴射圧PTGTは、通常燃焼時の目標噴射圧PnTGTからＮＯｘパージ中の目標噴射圧PpTGTへとステップ状に切り替えられる。
【００３４】
通常燃焼からＮＯｘパージに切り替えられた直後は、目標噴射圧PTGTがステップ状に高められるのに対し、実噴射圧PACTが徐々に高まっていくため、目標噴射圧PpTGTと実噴射圧PACTとの間にずれが発生する。この状態（実噴射圧PACTが目標噴射圧PpTGTに収束していない状態）では、短時間で所定量の燃料を噴き切ることが難しく、トルクに寄与する燃料量が不足することから、トルクダウンが発生するおそれがある。また、噴射圧のずれが発生した状態では、ポスト噴射された燃料の霧化が悪く、ポスト噴射された燃料が燃えにくいことからも、トルクダウンを引き起こすおそれがある。
【００３５】
さらに、ＮＯｘパージでは、ポスト噴射した燃料が燃焼しやすいようにシリンダ１１内の温度（以下、筒内温度Tcという）が通常燃焼時よりも高温にされる。しかし、ＮＯｘパージへの切り替え直後は、筒内温度TcがＮＯｘパージに適した温度まで昇温していないため、ポスト噴射した燃料が燃えにくく、これによってもトルクダウンが発生する可能性がある。
本実施形態の制御装置１は、ＮＯｘパージにおけるこれらの課題に鑑みて、通常燃焼からの切り替え直後におけるトルクダウンの発生を抑制すべく、ポスト噴射時期tpを制御する。
【００３６】
図１に示すように、制御装置１には、推定部２，判定部３，取得部４，制御部５が設けられる。これらの各要素は電子回路（ハードウェア）によって実現してもよく、ソフトウェアとしてプログラミングされたものとしてもよいし、あるいはこれらの機能のうちの一部をハードウェアとして設け、他部をソフトウェアとしたものであってもよい。
【００３７】
推定部２は、触媒３２ＡのＮＯｘ吸蔵量Asを推定するものである。ＮＯｘ吸蔵量Asの推定手法には、種々の公知技術を適用可能である。例えば、エンジン１０の運転状態や排気の温度，空燃比，流量等に基づいて推定可能である。推定部２は、車両のメイン電源がオンのときに、常にＮＯｘ吸蔵量Asを推定して、その結果を判定部３へ伝達する。
【００３８】
判定部３は、ＮＯｘパージの要否判定と、エンジン１０がＮＯｘパージを実施可能な運転状態か否かの判定と、ＮＯｘパージの完了判定との三つの判定を行うものである。判定部３は、まず、推定部２から伝達されたＮＯｘ吸蔵量Asを所定の第一閾値A1と比較し、As≧A1であればＮＯｘパージが必要であると判定し、As＜A1であればＮＯｘパージが不要であると判定する。この第一閾値A1は、触媒３２Ａに吸蔵されたＮＯｘを除去する必要があるか否か（触媒３２Ａの飽和状態）を判定するための閾値であり、触媒３２Ａの容量やエンジン１０の運転状態等に基づいて予め設定される。
【００３９】
判定部３は、ＮＯｘパージが必要であると判定した場合に、エンジン１０の負荷や回転速度，排気温度等に基づき、エンジン１０がＮＯｘパージを実施可能な運転状態であるか否かを判定する。エンジン１０がＮＯｘパージを実施可能な運転状態であると判定した場合には、その判定結果を制御部５へ伝達する。一方、エンジン１０がＮＯｘパージを実施可能な運転状態ではないと判定した場合には、この判定を繰り返す。
【００４０】
判定部３は、制御部５によりＮＯｘパージが開始された場合、推定部２から伝達されたＮＯｘ吸蔵量Asを所定の第二閾値A2と比較する。判定部３は、As＜A2であればＮＯｘパージが完了したと判定し、判定結果を制御部５へ伝達するとともに、再び要否判定を行う。一方、As≧A2であればＮＯｘパージが完了していないと判定し、この判定を繰り返す。第二閾値A2は、触媒３２Ａに吸蔵されたＮＯｘが除去されたか否かを判定するための閾値であり、上記の第一閾値A1よりも小さい値に予め設定される。
【００４１】
取得部４は、ＮＯｘパージの開始時点（すなわち、ＮＯｘパージへの切り替え直後）における筒内温度（以下、開始筒内温度Tcpという）を取得するものである。開始筒内温度Tcpが低い場合には、ポスト噴射した燃料がより燃えにくくなるうえ、ＮＯｘパージに適した温度に対する温度差が大きくなることから、この場合には筒内温度Tcが上昇しやすいように、後述の制御部５において、ポスト噴射時期tpの進角量Δtpが補正される。取得部４は、この補正に先立ち、開始筒内温度Tcpを取得し、取得した開始筒内温度Tcpを制御部５へ伝達する。
【００４２】
取得手法としては、筒内温度Tcを直接的に検出するセンサを設けて、開始筒内温度Tcpを検出する手法が挙げられる。また、筒内温度Tcに関係しうるパラメータを用いて、開始筒内温度Tcpを推定する手法が挙げられる。本実施形態の取得部４は、以下の三つのパラメータのうちの少なくとも一つに基づいて、開始筒内温度Tcpを推定して取得する。
（１）エンジン１０の低負荷運転の継続時間LE
（２）燃料カット時間FC
（３）冷却水温センサ３４で検出された水温WT
【００４３】
継続時間LEは、例えばアイドル運転のような低負荷運転が継続された時間であり、制御装置１によりカウントされる。継続時間LEが長いほど筒内温度Tcが低下するため、継続時間LEと温度低下量又は低下率との関係を予め取得しておくことで、継続時間LEに基づいて開始筒内温度Tcpを推定可能である。なお、本実施形態では、少なくとも継続時間LEの終了時点が、通常燃焼からＮＯｘパージへ切り替える前の所定の第一期間L1内に入っている場合に、開始筒内温度Tcpの推定を行うものとする。
【００４４】
すなわち、低負荷運転が所定時間継続し、低負荷運転から中負荷又は高負荷運転を実施したのちにＮＯｘパージへと切り替えられた場合、低負荷運転の継続時間LEの少なくとも一部がＮＯｘパージへの切り替え前の第一期間L1内であれば、継続時間LEに基づいて開始筒内温度Tcpを推定する。一方、継続時間LEがこの第一期間L1よりも前であれば、中負荷又は高負荷運転が第一期間L1以上継続されたことになるため、低負荷運転による温度低下は無視できるものと考えて、継続時間LEに基づく開始筒内温度Tcpの推定は行わない。
【００４５】
燃料カット時間FCは、上述した燃料カットが実施された時間（燃料供給が遮断された時間）であり、制御装置１によりカウントされる。燃料カット時間FCが長いほど筒内温度Tcが低下するため、燃料カット時間FCと温度低下量又は低下率との関係を予め取得しておくことで、燃料カット時間FCに基づいて開始筒内温度Tcpを推定可能である。なお、本実施形態では、少なくとも燃料カット時間FCの終了時点が、通常燃焼からＮＯｘパージへ切り替える前の所定の第二期間L2内に入っている場合に、開始筒内温度Tcpの推定を行うものとする。
【００４６】
すなわち、燃料カットが所定時間継続したのち、燃料供給が再開されてからＮＯｘパージへと切り替えられた場合、燃料カット時間FCの少なくとも一部がＮＯｘパージへの切り替え前の第二期間L2内であれば、燃料カット時間FCに基づいて開始筒内温度Tcpを推定する。一方、燃料カット時間FCがこの第二期間L2よりも前であれば、燃料供給が再開されてから第二期間L2以上経過したことになるため、燃料カットによる温度低下は無視できるものと考えて、燃料カット時間FCに基づく開始筒内温度Tcpの推定は行わない。なお、上記の第一期間L1，第二期間L2は、低負荷運転の継続時間LE，燃料カット時間FCが筒内温度Tcの低下に及ぼす影響を考慮して予め設定される。
【００４７】
水温WTは筒内温度Tcと正の相関を持つパラメータであり、水温WTと筒内温度Tcとの関係を予め取得しておくことで、水温WTに基づいて開始筒内温度Tcpを推定可能である。水温WTに基づく開始筒内温度Tcpの推定は、他のパラメータと異なり、時間に寄らず実施可能である。
【００４８】
制御部５は、判定部３からエンジン１０がＮＯｘパージを実施可能な運転状態であるという判定結果が伝達された場合に、エンジン１０の運転状態を通常燃焼からＮＯｘパージに切り替えて、ＮＯｘパージを実施するものである。制御部５は、ＮＯｘパージへ切り替えた規定時間後に、スロットル弁２２を所定のスロットル開度に絞って吸気量を減らす。次いで、筒内噴射弁１２の目標噴射圧PTGTを、通常燃焼時の目標噴射圧PnTGTからＮＯｘパージでの目標噴射圧PpTGTに切り替える。
【００４９】
そして、制御部５は、予め設定されたメイン噴射量Qm及びポスト噴射量Qpを用い、所定の噴射時期に筒内噴射弁１２から燃料を噴射させ、所定の噴射期間内で燃料を噴き切る。具体的には、一回の燃焼サイクルのなかで、メイン噴射時期tmに燃料を噴射させてメイン噴射期間km内にメイン噴射量Qmの燃料を噴き切るとともに、ポスト噴射時期tpに燃料を噴射させてポスト噴射期間kp内にポスト噴射量Qpの燃料を噴き切る。なお、ＮＯｘパージでのメイン噴射量Qm及びポスト噴射量Qpは、ＮＯｘパージ中の目標空燃比，スロットル開度，筒内温度Tc等に基づいて予め設定される。これらによって、触媒３２Ａの周辺を還元雰囲気としながら触媒３２Ａを昇温させて、ＮＯｘを放出，還元させる。
【００５０】
ここで、本実施形態の制御部５は、目標噴射圧PpTGTと実噴射圧PACTとの間にずれが生じている場合には、そのずれ量に基づき、ポスト噴射時期tpを所定のポスト噴射時期tpoよりも進角させる。所定のポスト噴射時期tpoは、実噴射圧PACTが目標噴射圧PpTGTに収束しているときのポスト噴射の開始時点である。所定のポスト噴射時期tpoの具体的な時期は、試験，実験等を通じて事前に設定されているもの（固定された時期）であってもよいし、エンジン１０の運転状態や触媒３２Ａにおける所定成分の吸蔵状態，排気の温度，空燃比，流量等に応じて随時設定されるもの（可変の時期）であってもよい。
【００５１】
制御部５は、目標噴射圧PpTGTと実噴射圧PACTとが略一致している場合には、所定のポスト噴射時期tpoにポスト噴射を開始する。一方、実噴射圧PACTが目標噴射圧PpTGTに収束していない状態では、ポスト噴射時期tpを収束時のポスト噴射時期tpoよりも進角させる。この進角量Δtp（補正量）は、ずれ量が大きいほど増量され、ずれ量が小さくなるに連れて減量される。すなわち、実噴射圧PACTが目標噴射圧PpTGTに収束する過程で、ポスト噴射時期tpは収束時のポスト噴射時期tpoに向かって遅角される。
【００５２】
このずれ量は、ＮＯｘパージへの切り替え直後の目標噴射圧PpTGTと実噴射圧PACTとのずれを表すパラメータであり、例えば目標噴射圧PpTGTと実噴射圧PACTとの差ΔP（=PpTGT-PACT）や、目標噴射圧PpTGTと実噴射圧PACTとの比がこれに含まれる。なお、この比には、目標噴射圧PpTGTに対する実噴射圧PACTの比（PACT/PpTGT）や、ＮＯｘパージ中の目標噴射圧PpTGTと通常燃焼時の目標噴射圧PnTGTとの差に対する目標噴射圧PpTGTと実噴射圧PACTとの差の比〔（PpTGT-PACT）/（PpTGT-PnTGT）〕が含まれる。本実施形態では、ずれ量として、目標噴射圧PpTGTと実噴射圧PACTとの差ΔPを用いる。
【００５３】
ポスト噴射時期tpの設定に関して、図２（ａ）〜（ｅ）を用いて説明する。エンジン１０の運転状態が通常燃焼からＮＯｘパージに切り替えられ、所定の規定時間経過後にスロットル弁２２が制御されて吸気が絞られる。その後、図２（ａ）に示すように、時刻t1において、目標噴射圧PTGTが通常燃焼時の目標噴射圧PnTGTからＮＯｘパージ中の目標噴射圧PpTGTへとステップ状に切り替えられる。実噴射圧PACTは、時刻t1から僅かに遅れた時刻t2に上昇し始め、時刻t4に目標噴射圧PpTGTに収束して、その後は目標噴射圧PpTGTと略一致した状態となる。
【００５４】
図２（ｂ）〜（ｅ）に、図２（ａ）中の時刻t0，t2，t3，t5におけるメイン噴射時期tm及びポスト噴射時期tpを示す。時刻t0はＮＯｘパージに切り替えられる直前の時点であり、時刻t3は実噴射圧PACTが目標噴射圧PpTGTに向かって上昇している途中の時点である。また、時刻t5は実噴射圧PACTが目標噴射圧PpTGTに収束した後の時点である。何れも時刻においても、メイン噴射は、予め設定された所定のメイン噴射時期tm（例えば圧縮上死点付近）に開始される。
【００５５】
一方、ポスト噴射は、ＮＯｘパージに切り替えられた以降に実施され、時刻t2，t3では、時刻t5におけるポスト噴射時期tpoに対して、噴射圧の差ΔPに応じた進角量Δtpだけ進角したタイミング（ポスト噴射時期tp）で行われる。ポスト噴射時期tpの進角により、ポスト噴射の総噴射量に占めるトルク寄与分の割合が増加し、トルク発生量が増加することから、噴射できる燃料量（ポスト噴射の総噴射量）が少なかったとしても、トルクダウンが抑制される。
【００５６】
さらに、本実施形態の制御部５は、取得部４で取得された開始筒内温度Tcpが低いほど、上記の進角量Δtpを増大補正して、ポスト噴射時期tpをさらに進角させる。これによりトルク発生量が増加することから、開始筒内温度Tcpが低い状態であってもトルクダウンが抑制される。なお、この補正手法としては、例えば開始筒内温度Tcpとポスト噴射時期tpの補正量や補正係数との関係を予めマップとして設定しておく手法が挙げられる。この場合、取得部４から伝達された開始筒内温度Tcpをマップに適用して補正量や補正係数を取得し、上記の噴射圧の差ΔPに応じた進角量Δtpに対して、補正量を加算、或いは、補正係数を乗算することで、進角量Δtpを補正すればよい。
【００５７】
制御部５は、ＮＯｘパージの実施中に、判定部３からＮＯｘパージが完了したという判定結果が伝達された場合には、エンジン１０の運転状態をＮＯｘパージから通常燃焼に切り替え、ＮＯｘパージを終了する。制御部５は、通常燃焼へ切り替えた時点で、筒内噴射弁１２の目標噴射圧PTGTをＮＯｘパージでの目標噴射圧PpTGTから通常燃焼時の目標噴射圧PnTGTに切り替える。そして、ドライバの要求する出力等に基づいた通常のエンジン制御を実施する。
【００５８】
［１−３．フローチャート］
図３は、上述のＮＯｘパージの制御手順を説明するためのフローチャートであり、図４は図３のサブフローチャートである。図３のフローは、例えば車両のメイン電源がオフからオンに切り替えられた時点で開始されて、電源がオンの間、制御装置１において所定の演算周期で繰り返し実施される。なお、図３のフローの開始時点では、エンジン１０の運転状態は通常燃焼とされ、フラグFpはFp=0に設定されているものとする。また、推定部２によるＮＯｘ吸蔵量Asの推定は電源がオンの間は常に実施されているものとする。
【００５９】
図３に示すように、制御装置１では、各センサ３３〜３８で検出された情報（センサ値）が取得され（ステップＳ１）、フラグFpがFp=0であるとき（ステップＳ２）、推定部２で推定されたＮＯｘ吸蔵量Asが読み込まれる（ステップＳ３）。ここで、フラグFpは、ＮＯｘパージが必要な状態か否かを判断するためのものであり、Fp=1はＮＯｘパージが必要な状態に対応し、Fp=0はＮＯｘパージが不要な状態に対応する。
【００６０】
ＮＯｘ吸蔵量Asが第一閾値A1以上（As≧A1）であるとき（ステップＳ４）、フラグFpがFp=1に設定される（ステップＳ５）。一方、ＮＯｘ吸蔵量Asが第一閾値A1未満であれば、このフローをリターンする。すなわち、触媒３２Ａに吸蔵したＮＯｘの量が第一閾値A1以上となった場合には、ＮＯｘパージが必要と判定され、次の判定へと進む。次いで、エンジン１０がＮＯｘパージを実施可能な運転状態であるとき（ステップＳ６）、後述する図４のＮＯｘパージが実施される（ステップＳ７）。そして、推定部２で推定されたＮＯｘ吸蔵量Asが再び読み込まれる（ステップＳ８）。
【００６１】
ＮＯｘ吸蔵量Asが第二閾値A2を下回っていない場合（ステップＳ９）、このフローをリターンし、再びセンサ値が取得されて（ステップＳ１）、フラグ判定が行われる（ステップＳ２）。この場合はフラグFpがFp=1に設定されているので、ＮＯｘパージの実施可能判定が行われる（ステップＳ６）。そして、実施可能であればＮＯｘパージが継続され（ステップＳ７）、As＜A2となったとき（ステップＳ９）、エンジン１０の運転状態がＮＯｘパージから通常燃焼に切り替えられて（ステップＳ１０）、フラグFpがFp=0にリセットされる（ステップＳ１１）。
【００６２】
一方、エンジン１０がＮＯｘパージを実施できない運転状態の場合（ステップＳ６）、ＮＯｘパージの実施中であれば（ステップＳ１２）、ＮＯｘパージを中断し、エンジン１０の運転状態を通常燃焼へと切り替えて（ステップＳ１３）、このフローをリターンする。この場合は、フラグFpがFp=1に設定されているため、エンジン１０がＮＯｘパージを実施可能な運転状態になった時点でＮＯｘパージが復帰される。なお、ＮＯｘパージの実施中でなければ、通常燃焼のままこのフローをリターンする。
【００６３】
ステップＳ７に進んだ場合、図４に示すように、スロットル弁２２がＮＯｘパージでのスロットル開度に制御されることで吸気が絞られ（ステップＳ２０）、規定時間の経過後に（ステップＳ２１）、筒内噴射弁１２の目標噴射圧PTGTがＮＯｘパージ中の目標噴射圧PpTGTに設定される（ステップＳ２２）。そして、噴射圧センサ３７から実噴射圧PACTが取得される（ステップＳ２３）。
【００６４】
通常燃焼からＮＯｘパージへと切り替えた直後は目標噴射圧PpTGTと実噴射圧PACTとに差ΔPが生じることから、実噴射圧PACTが目標噴射圧PpTGTに収束していない状態では（ステップＳ２４）、これらの差ΔPがずれ量として取得される（ステップＳ２５）。次いで、開始筒内温度Tcpが取得され（ステップＳ２６）、差ΔP及び開始筒内温度Tcpに基づいてポスト噴射時期tpが進角される（ステップＳ２７）。すなわち、ステップＳ２７では、差ΔPに応じた進角量Δtpだけポスト噴射時期tpが進角されるとともに、開始筒内温度Tcpに応じて進角量Δtpが補正される。そして、メイン噴射時期tmにメイン噴射量Qmの燃料が噴射されるとともに、ステップＳ２７で進角されたポスト噴射時期tpにポスト噴射量Qpの燃料が噴射される（ステップＳ２９）。
【００６５】
実噴射圧PACTが目標噴射圧PpTGTに収束したとき（ステップＳ２４）、ポスト噴射時期tpが予め設定されたポスト噴射時期tpoに設定される（ステップＳ２８）。つまり、目標噴射圧PpTGTと実噴射圧PACTとが略一致した状態では、ポスト噴射時期tpが所定の噴射タイミングtpoに固定され、メイン噴射が行われたのちにポスト噴射が行われる（ステップＳ２９）。
【００６６】
［１−４．効果］
（１）上述の制御装置１では、図２（ａ）〜（ｅ）に示すように、目標噴射圧PpTGTと実噴射圧PACTとのずれ量（例えば差ΔP）に基づいて、ポスト噴射時期tpを、実噴射圧PACTが目標噴射圧PpTGTに収束したときのポスト噴射時期tpoよりも進角させる。これにより、ポスト噴射の総噴射量（ポスト噴射量Qp）に占めるトルク寄与分の割合が増加することから、ポスト噴射によるトルク発生量を増加させることができる。したがって、実噴射圧PACTが目標噴射圧PpTGTに達していない状態でも（ポスト噴射の総噴射量が少ない場合でも）、通常燃焼からＮＯｘパージに切り替えた直後のトルクダウンを抑制することができる。
【００６７】
また、噴射タイミングが早いほどポスト噴射した燃料がシリンダ１１内で燃えやすくなるため、筒内温度Tcが上昇しやすくなり、ポスト噴射によるトルクの発生量を増加させることができる。つまり、ポスト噴射時期tpを進角させることで、上記のようにポスト噴射量Qpのうちトルクに寄与する燃料割合を増やすことができるとともに、筒内温度Tcを高めることができることから、実噴射圧が低い状態でもトルクダウンを抑制することができる。
なお、筒内温度Tcが上昇しやすくなるので、筒内温度Tcをパージ処理に適した温度まで早期に高めることができる。これにより、触媒３２Ａに吸蔵されたＮＯｘが早期に放出，還元されることになるため、パージ処理時間を短縮でき、燃費を向上させることができる。
【００６８】
（２）上述の制御装置１では、噴射圧のずれ量が大きいほどポスト噴射時期tpを進角させるため、ポスト噴射量Qpに占めるトルク寄与分の割合を、ずれ量が大きいほど高くすることができる。つまり、ずれ量の大きさに応じて、ポスト噴射によるトルク発生量を増加させることができるため、ＮＯｘパージへの切り替え直後で実噴射圧PACTが低い状態でも、トルクダウンを効果的に抑制することができる。
【００６９】
（３）上述の制御装置１では、取得部４によって取得された開始筒内温度Tcpが低いほどポスト噴射時期tpを進角させるため、ポスト噴射した燃料がシリンダ１１内でより燃焼しやすくなる。これにより、筒内温度Tcが上昇しやすくなるため、トルク発生量を増加させることができ、より効果的にトルクダウンを抑制することができる。また、ＮＯｘパージに適した筒内温度Tcになるまでの時間を短縮できることから、触媒３２Ａに吸蔵されたＮＯｘが早期に放出，還元されることになり、パージ処理時間の長期化を抑制することができる。
【００７０】
（４）上述の制御装置１では、開始筒内温度Tcpが、エンジン１０の低負荷運転の継続時間LE，燃料カット時間FC，水温WTの三つのパラメータのうちの少なくとも一つから推定される。このため、筒内温度Tcを直接的に検出するセンサがなくてもポスト噴射時期tpを進角させることができ、コストを低減することができる。また、これらのパラメータを組み合わせて開始筒内温度Tcpを推定して取得することで、推定精度を高めることができる。
【００７１】
［２．第二実施形態］
［２−１．構成］
次に、第二実施形態に係る制御装置１について説明する。本実施形態の制御装置１は、通常燃焼からの切り替え直後におけるトルクダウンの発生を抑制すべく、第一実施形態と同様にポスト噴射時期tpを制御するとともに、メイン噴射量Qm及びポスト噴射量Qpを制御する。本実施形態の制御装置１は、各噴射量Qm，Qpを設定するための機能要素として、図１中に二点鎖線で示すように設定部６を備える点で、上述した第一実施形態と異なる。なお、第一実施形態と同様の構成については第一実施形態と同じ符号を付し、重複する説明は省略する。
【００７２】
本実施形態の判定部３は、エンジン１０がＮＯｘパージを実施可能な運転状態であると判定した場合には、その判定結果を制御部５に伝達するとともに、設定部６にも伝達する。
設定部６は、判定部３からエンジン１０がＮＯｘパージを実施可能な運転状態であるという判定結果が伝達された場合に、ＮＯｘパージ中の一回の燃焼サイクルにおけるメイン噴射量Qm及びポスト噴射量Qpを、上述した噴射圧のずれ量に基づいて設定する。なお、本実施形態においても、ずれ量として、目標噴射圧PpTGTと実噴射圧PACTとの差ΔPを用いる。
【００７３】
まず、メイン噴射量Qmの設定について説明する。設定部６は、判定部３から上記の判定結果が伝達されると、メイン噴射量Qmとして、ＮＯｘパージへの切り替え直前のメイン噴射量Qmnの値を設定する。設定部６は、実噴射圧PACTが上昇して差ΔPが小さくなると、差ΔPの減少に伴ってメイン噴射量Qmを小さな値に変更していく。すなわち、差ΔPが小さくなるに連れて、メイン噴射量Qmを徐々に小さな値に変更して設定する。そして、実噴射圧PACTが目標噴射圧PpTGTに収束した（差ΔPが略ゼロである）ときに、メイン噴射量Qmを予め設定された所定のメイン噴射量Qmoに設定する。所定のメイン噴射量Qmoは、ＮＯｘパージ中のメイン噴射量Qmの最小値であり、ＮＯｘパージ中の目標空燃比，スロットル開度，筒内温度Tc等に基づいて、ゼロよりも大きな値に設定される。
【００７４】
次に、ポスト噴射量Qpの設定について説明する。設定部６は、判定部３から上記の判定結果が伝達されると、ポスト噴射量Qpとして、ＮＯｘパージへの切り替え直前のポスト噴射量Qpnの値を設定する。設定部６は、実噴射圧PACTが上昇して差ΔPが小さくなると、差ΔPの減少に伴ってポスト噴射量Qpを大きな値に変更していく。すなわち、差ΔPが小さくなるに連れて、ポスト噴射量Qpを徐々に大きな値に変更して設定する。そして、実噴射圧PACTが目標噴射圧PpTGTに収束した（差ΔPが略ゼロである）ときに、ポスト噴射量Qpを予め設定された所定のポスト噴射量Qpoに設定する。所定のポスト噴射量Qpoは、ＮＯｘパージ中のポスト噴射量Qpの最大値であり、ＮＯｘパージ中の目標空燃比，スロットル開度，筒内温度Tc等に基づいて、上記の最小値Qmoよりも大きな値に設定される。
【００７５】
本実施形態の設定部６は、以下の式１及び式２を用いてメイン噴射量Qm及びポスト噴射量Qpをそれぞれ算出して設定する。なお、式１中のQmoは上記のメイン噴射量Qmの最小値であり、式２中のQpoは上記のポスト噴射量Qpの最大値である。
メイン噴射量Qm＝Qmo＋Km×ΔQm    ・・・式１
ポスト噴射量Qp＝Qpo−Kp×ΔQp    ・・・式２
【００７６】
式１中のΔQmは、ＮＯｘパージに切り替える直前のメイン噴射量Qmnから最小値Qmoを減算した値（ΔQm＝Qmn−Qmo）である。また、式２中のΔQpは、最大値QpoからＮＯｘパージに切り替える直前のポスト噴射量Qpnを減算した値（ΔQp＝Qpo−Qpn）である。なお、ＮＯｘパージへの切り替え直前の通常燃焼においてポスト噴射がされていない場合には、ＮＯｘパージに切り替える直前のポスト噴射量Qpnはゼロとなるため、ΔQpは最大値Qpoと等しい値となる。
【００７７】
また、上記の式１，２中のKm，Kpはそれぞれ、０以上かつ１以下の範囲で差ΔPに応じて設定された係数であり、設定部６によって差ΔPに応じた値が選択される。係数Km，Kpと差ΔPとの各関係は、例えば図５（ａ），（ｂ）に示すようなマップとして予め設定される。ここでは、差ΔPが大きいほど係数Km，Kpが線形的に増加するように設定されたマップを例示する。なお、係数Km，Kpを取得するマップは図５（ａ），（ｂ）のものに限られず、差ΔPが大きいほど係数Km，Kpが曲線的に増加するように設定されたものであってもよい。また、係数Kmを取得するマップと係数Kpを取得するマップとが、同一のマップであってもよいし、一方が線形的，他方が曲線的に増加するように設定されたマップでもよい。
【００７８】
設定部６は、判定部３から上記の判定結果が伝達されると、差ΔPに応じた係数Km，Kpを選択するとともに、ＮＯｘパージへの切り替え直前のメイン噴射量Qmn及びポスト噴射量Qpnを取得する。そして、上記の式１及び式２を用いて、一回の燃焼サイクルにおけるメイン噴射量Qm及びポスト噴射量Qpを算出して設定する。設定部６は、設定されたメイン噴射量Qm及びポスト噴射量Qpを制御部５へ伝達する。
【００７９】
本実施形態の制御部５は、設定部６から伝達されたメイン噴射量Qm及びポスト噴射量Qpを用いる点で第一実施形態と異なり、他の制御内容は第一実施形態と同様である。すなわち、本実施形態の制御部５は、予め設定されたメイン噴射時期tmに筒内噴射弁１２から燃料を噴射させ、設定部６から伝達されたメイン噴射量Qmの燃料をメイン噴射期間km内に噴き切る。また、目標噴射圧PpTGTと実噴射圧PACTとがずれている場合には、その差ΔPに基づいてポスト噴射時期tpを所定のポスト噴射時期tpoよりも進角させる。さらに、その噴射時期tpに筒内噴射弁１２から燃料を噴射させ、設定部６から伝達されたポスト噴射量Qpの燃料をポスト噴射期間kp内に噴き切る。そして、実噴射圧PACTが目標噴射圧PpTGTに収束した後は、所定のポスト噴射時期tpoに燃料を噴射させ、設定部６から伝達されたポスト噴射量Qpoの燃料をポスト噴射期間kp内に噴き切る。なお、制御部５は、第一実施形態と同様に、取得部４から伝達された開始筒内温度Tcpが低いほど進角量Δtpを増大補正して、ポスト噴射時期tpをより進角させる。
【００８０】
［２−２．作用，効果］
図６（ａ）は、エンジン１０の運転状態が通常燃焼からＮＯｘパージに切り替えられたときの噴射圧の変化を示したグラフであり、上述の図２（ａ）と同一である。図６（ｂ）は、噴射圧のずれ量に基づいて設定されるメイン噴射量Qm及びポスト噴射量Qpを説明するための図であり、図６（ｃ）〜（ｅ）は、これらの噴射量Qm，Qpと、噴射圧のずれ量に対するポスト噴射時期tpの進角補正とを併せて示した図である。なお、本実施形態では、第一実施形態と同様に、ＮＯｘパージへの切り替え直前の通常燃焼においてポスト噴射がされていないものとする。
【００８１】
図６（ａ），（ｂ）に示すように、エンジン１０の運転状態が通常燃焼からＮＯｘパージに切り替えられた直後の時刻t2では、差ΔPが最大であるため、図５（ａ），（ｂ）のマップを用いると、上記の式１，２中の係数Km，Kpが何れも１となる。これらの係数Km，Kpが式１，２に代入されることで、メイン噴射量Qmは切り替え直前のメイン噴射量Qmnに設定され、ポスト噴射量Qpはゼロに設定される。したがって、図６（ｃ）に示すように、時刻t2まではメイン噴射のみが所定のメイン噴射時期tmに開始される。
【００８２】
実噴射圧PACTが上昇して差ΔPが小さくなった時刻t3では、係数Km，Kpが１よりも小さい値となり、メイン噴射量Qmは時刻t2のときよりも小さな値に設定され、ポスト噴射量Qpはゼロよりも大きな値に設定される。したがって、図６（ｄ）に示すように、時刻t3では、メイン噴射量Qmの燃料が所定のメイン噴射時期tmに噴射されるとともに、進角されたポスト噴射時期tpにおいてポスト噴射量Qpの燃料が噴射される。
【００８３】
差ΔPが小さくなるに連れ、係数Km，Kpが０に近い値となることから、差ΔPが小さいほど、メイン噴射量Qmが最小値Qmoに近づくように減らされるとともにポスト噴射量Qpが最大値Qpoに近づくように増やされる。そして、実噴射圧PACTが目標噴射圧PpTGTに収束した時刻ｔ4以降は、メイン噴射量Qmが最小値Qmoに固定され、ポスト噴射量Qpが最大値Qpoに固定される。したがって、図６（ｅ）に示すように、例えば時刻t5では、メイン噴射量Qmoの燃料が所定のメイン噴射時期tmに噴射されるとともに、所定のポスト噴射時期tpoにおいてポスト噴射量Qpoの燃料が噴射される。
【００８４】
このように、本実施形態の制御装置１では、噴射圧のずれ量（例えば差ΔP）に基づくポスト噴射時期tpの進角に加えて、ずれ量に基づいてメイン噴射量Qm及びポスト噴射量Qpを設定する。このため、実噴射圧PACTが目標噴射圧PpTGTまで変動しつつある燃圧過渡状態において、燃料が燃えやすいメイン噴射での燃料量Qmを多くするように設定することができる。これにより、実噴射圧PACTが目標噴射圧PpTGTに達していない状態でも、通常燃焼からＮＯｘパージに切り替えた直後のトルクダウンをより効果的に抑制することができる。
【００８５】
また、メイン噴射量Qmを多く設定した分、ポスト噴射での燃料量Qpを減らすような設定を行うことで、一回の燃焼サイクルで噴射される総噴射量の増大を抑制することができる。これにより、燃費悪化を抑制することができる。さらに、本実施形態の制御装置１では、メイン噴射量Qm及びポスト噴射量Qpを、上記の式１，２及び図５（ａ），（ｂ）に示すマップを用いて算出するため、各噴射量Qm，Qpを簡単に設定することができ、制御構成を簡素化することができる。
【００８６】
また、本実施形態の制御装置１では、実噴射圧PACTが目標噴射圧PpTGTに収束する過程で、メイン噴射量Qmが最小値Qmoに近づくとともにポスト噴射量Qpが最大値Qpoに近づくように制御されるため、図６中における時刻t4の前後でのトルク変動や燃焼状態の急変を招くおそれがなく、エンジン１０の作動状態をより安定化させることができる。なお、第一実施形態と同様の構成からは、同様の作用効果を得ることができる。
【００８７】
［３．第三実施形態］
［３−１．構成］
次に、第三実施形態に係る制御装置１について説明する。本実施形態の制御装置１は、通常燃焼からの切り替え直後におけるトルクダウンの発生を抑制すべく、第一実施形態と同様にポスト噴射時期tpを制御するとともに、第二実施形態と同様にメイン噴射量Qm及びポスト噴射量Qpを制御する。そのため、本実施形態の制御装置１にも、第二実施形態と同様に設定部６が設けられる。ただし、本実施形態の設定部６は、上述した噴射圧のずれ量に基づいてメイン噴射量Qmとポスト噴射量Qpとの噴射比率を設定する点で、上述の第二実施形態と異なる。なお、第一，第二実施形態と同様の構成については第一，第二実施形態と同じ符号を付し、重複する説明は省略する。
【００８８】
本実施形態の設定部６は、判定部３からエンジン１０がＮＯｘパージを実施可能な運転状態であるという判定結果が伝達された場合に、ＮＯｘパージ中の一回の燃焼サイクルにおける全燃料噴射量である総噴射量Qtを算出するとともに、メイン噴射量Qmとポスト噴射量Qpとの噴射比率を設定する。そして、これらの総噴射量Qt及び噴射比率から、メイン噴射量Qm及びポスト噴射量Qpのそれぞれを設定し、設定されたメイン噴射量Qm及びポスト噴射量Qpを補正部６へ伝達する。
【００８９】
具体的には、設定部６は、ＮＯｘパージに切り替える直前の燃料量QmnとＮＯｘパージ中の目標空燃比とエアフローセンサ３８で検出された吸気量とに基づき、総噴射量Qtを算出する。また、設定部６は、目標噴射圧PpTGTと実噴射圧PACTとのずれ量に基づいて噴射比率を設定するとともに、実噴射圧PACTが目標噴射圧PpTGTに収束した場合には、噴射比率を予め設定された所定の噴射比率に固定する。なお、本実施形態においても、ずれ量として、目標噴射圧PpTGTと実噴射圧PACTとの差ΔPを用いる。
【００９０】
メイン噴射量Qmとポスト噴射量Qpとの噴射比率の設定手法としては、例えば以下の二つが挙げられる。
（Ａ）メイン噴射量Qmに対するポスト噴射量Qpの比率R（=Qp/Qm）を設定する。
（Ｂ）総噴射量Qtに対するメイン噴射量Qmの比率Rm（=Qm/Qt），総噴射量Qtに対する
ポスト噴射量Qpの比率Rp（=Qp/Qt）をそれぞれ設定する（ただしRm+Rp=1）。
【００９１】
上記（Ａ）の場合、設定部６は、差ΔPが大きいほど比率Rを所定比率Roよりも低くなるように（差ΔPが小さくなるほど、所定比率Ro以下の範囲内で比率Rが上昇しながら所定比率Roへと近づくように）設定する。そして、実噴射圧PACTが目標噴射圧PpTGTに収束した（差ΔPが略ゼロになった）時点で比率Rを所定比率Roに設定し、その後は所定比率Roに固定する。この所定比率Roは、実噴射圧PACTが目標噴射圧PpTGTに収束したときの比率であり、ＮＯｘパージ中の目標空燃比，スロットル開度，筒内温度Tc等に基づいて予め設定される。つまり、設定部６は、差ΔPが略ゼロの場合には、比率Rを所定比率Roで固定し、差ΔPが大きいほどメイン噴射量Qmが多くなるように比率Rを変更する。
【００９２】
設定部６は、以下の式３に示すように、総噴射量Qtと比率Rとからメイン噴射量Qmを算出して設定する。また、式４に示すように、総噴射量Qtからメイン噴射量Qmを減算することでポスト噴射量Qpを算出して設定する。
メイン噴射量Qm＝Qt／（1＋R）    ・・・式３
ポスト噴射量Qp＝Qt−Qm          ・・・式４
【００９３】
また、上記（Ｂ）の場合、設定部６は、差ΔPが大きいほどメイン噴射量Qmの比率Rmが高くなるように設定し、差ΔPが略ゼロになった時点で、比率Rm，Rpをそれぞれ、予め設定された所定の比率に設定する。つまりこの場合においても、設定部６は、差ΔPが大きいほどメイン噴射量Qmが多くなるように、差ΔPが略ゼロのときに設定される所定の比率から比率Rmを変更する。この場合のメイン噴射量Qmは総噴射量Qtに比率Rmを乗算した値として算出される（Qm＝Qt×Rm）。なお、ポスト噴射量Qpは、総噴射量Qtに比率Rpを乗算した値として算出してもよく、上記の式４を用いてもよい。
【００９４】
ところで、ＮＯｘパージ中のメイン噴射量Qmの中には最小値Qmoが必ず含まれるため、総噴射量Qtからこの最小値Qmoを減じた残りの噴射量（以下、割振量Qrという。Qr=Qt-Qmo）を、メイン噴射とポスト噴射とに割り振る噴射比率を設定してもよい。なお、本実施形態においても、ＮＯｘパージへの切り替え直前の通常燃焼において、ポスト噴射はされていないものとする。
【００９５】
最小値Qmoを考慮した噴射比率の設定手法としては、例えば以下の二つが挙げられる。ここで、メイン噴射量Qmから最小値Qmoを減算した値のことを「変動メイン噴射量Qmx」と呼ぶ（Qmx=Qm-Qmo）。
（Ｃ）変動メイン噴射量Qmxに対するポスト噴射量Qpの比率Rx（=Qp/Qmx）を設定
する。
（Ｄ）割振量Qrに対する変動メイン噴射量Qmxの比率Rmx（=Qmx/Qr），割振量Qrに
対するポスト噴射量Qpの比率Rpx（Qp/Qr）をそれぞれ設定する
（ただしRmx+Rpx=1）。
【００９６】
上記（Ｃ）の場合、比率Rxに基づいて、割振量Qrが変動メイン噴射量Qmxとポスト噴射量Qpとに割り振られる。設定部６は、比率Rxを、差ΔPが大きいほど低く設定するとともに、差ΔPがゼロに近づくほど増大させて、差ΔPが略ゼロとなった時点で予め設定された所定の比率に設定する。つまりこの場合においても、設定部６は、差ΔPが大きいほどメイン噴射量Qm（変動メイン噴射量Qmx）が多くなるように、差ΔPが略ゼロのときに設定される比率から比率Rxを変更する。
【００９７】
設定部６は、以下の式５に示すように、割振量Qrと比率Rxとから変動メイン噴射量Qmxを算出し、これに最小値Qmoを加算してメイン噴射量Qmを設定する。また、ポスト噴射量Qpは、上記の式４を用いて設定する。
メイン噴射量Qm＝〔Qr／（1＋Rx）〕＋Qmo    ・・・式５
【００９８】
上記（Ｄ）の場合、設定部６は、差ΔPの減少に伴って比率Rmxを100％から0％に向けて減少させるとともに、比率Rpxを0％から100％に向けて増大させる。つまり、差ΔPが大きいほど比率Rmxを高く設定し、差ΔPが略ゼロになった時点で比率Rmxを0％にするとともに比率Rpxを100％に設定する。この場合のメイン噴射量Qmは、割振量Qrに比率Rmxを乗算した値に最小値Qmoを加算して算出される（Qm＝Qr×Rmx＋Qmo）。なお、ポスト噴射量Qpは、割振量Qrに比率Rpxを乗算した値として算出してもよく、上記の式４を用いてもよい。
【００９９】
本実施形態の制御部５は、第二実施形態と同様、設定部６から伝達されたメイン噴射量Qm及びポスト噴射量Qpを用い、所定の噴射時期に筒内噴射弁１２から燃料を噴射させ、所定の噴射期間内に燃料を噴き切る。すなわち、制御部５は、予め設定されたメイン噴射時期tmに筒内噴射弁１２から燃料を噴射させ、設定部６から伝達されたメイン噴射量Qmの燃料をメイン噴射期間km内に噴き切る。また、目標噴射圧PpTGTと実噴射圧PACTとがずれている場合には、その差ΔPに基づいてポスト噴射時期tpを所定のポスト噴射時期tpoよりも進角させる。さらに、その噴射時期tpに筒内噴射弁１２から燃料を噴射させ、設定部６から伝達されたポスト噴射量Qpの燃料をポスト噴射期間kp内に噴き切る。そして、実噴射圧PACTが目標噴射圧PpTGTに収束した後は、所定のポスト噴射時期tpoに燃料を噴射させ、設定部６から伝達されたポスト噴射量Qpの燃料をポスト噴射期間kp内に噴き切る。なお、制御部５は、第一実施形態と同様に、取得部４から伝達された開始筒内温度Tcpが低いほど進角量Δtpを増大補正して、ポスト噴射時期tpをより進角させる。
【０１００】
［３−２．作用，効果］
図７（ａ）は、エンジン１０の運転状態が通常燃焼からＮＯｘパージに切り替えられたときの噴射圧の変化を示したグラフであり、上述の図２（ａ）と同一である。図７（ｂ），（ｃ）は、噴射圧のずれ量に基づいて設定される噴射比率，噴射量を説明するための図である。なお、図７（ｂ）には、噴射比率として、上述したメイン噴射量Qmに対するポスト噴射量Qpの比率Rを挙げ、三つのグラフを例示する。
【０１０１】
図７（ａ）〜（ｃ）に示すように、ＮＯｘパージに切り替える直前の通常燃焼では、燃料量Qmnがメイン噴射され、ポスト噴射はされていないため、図７（ｂ）中に太実線に示すように、時刻t2までの比率Rはゼロに設定される。比率Rは、時刻t2以降では、目標噴射圧PpTGTと実噴射圧PACTとの差ΔTが小さくなるほど上昇し、差ΔPが略ゼロとなる時刻t4に所定比率Roに設定されて、その後は所定比率Roに固定される。なお、比率Rは、図７（ｂ）中に細実線や一点鎖線で示すように、曲線的に変化するように設定されてもよい。
【０１０２】
比率Rがこのように設定されることで、メイン噴射量Qm及びポスト噴射量Qpは、時刻t2から時刻t4にかけて徐々に変更され、時刻t4以降では一定の値に設定される。具体的には、細実線で示すメイン噴射量Qmが、燃料量Qmnから徐々に減らされ、時刻t4において最小値Qmoに設定される。一方、太実線で示すポスト噴射量Qpが、ゼロから徐々に増やされ、時刻t4において最大値Qpoに設定される。このようにメイン噴射量Qm及びポスト噴射量Qpが設定されることで、エンジン１０の運転状態がＮＯｘパージに切り替えられた直後のトルクダウンが防止される。なお、一点鎖線で示す総噴射量Qtは、時刻t4に空燃比がＮＯｘパージでの目標空燃比となるように、時刻t2から徐々に増大される。
【０１０３】
なお、仮に時刻t1又は時刻t2において、メイン噴射量Qmが燃料量Qmnから最小値Qmoにステップ状に切り替えられ、ポスト噴射量Qpもゼロから最大値Qpoにステップ状に切り替えられたとする。この場合、実噴射圧PACTが目標噴射圧PpTGTに達していないことから、ポスト噴射期間kpの間に所定のポスト噴射量Qpを噴き切ることが難しく、トルクに寄与するポスト噴射量Qpが不足する。さらに、メイン噴射量Qmが最小値Qmoに設定されているため、トルクに寄与するメイン噴射量Qmも減量されている。このように、トルクに寄与する燃料量が少ないことから、ポスト噴射時期tpを進角したとしても僅かなトルクの落ち込みが発生するおそれがある。これに対して、本実施形態のＮＯｘパージでは、目標噴射圧PpTGTと実噴射圧PACTとの差ΔPに基づいて比率Rを設定し、この比率Rを用いて設定されたメイン噴射量Qm及びポスト噴射量Qpの燃料が所定の噴射期間内に噴射されるので、トルクダウンの発生がより効果的に抑制される。
【０１０４】
このように、本実施形態の制御装置１では、噴射圧のずれ量（例えば差ΔP）に基づくポスト噴射時期tpの進角に加えて、ずれ量に基づいてメイン噴射量Qmとポスト噴射量Qpとの噴射比率（例えば比率R）を設定する。このため、実噴射圧PACTが目標噴射圧PpTGTまで変動しつつある燃圧過渡状態において、燃料が燃えやすいメイン噴射での燃料量Qmが多くなるように噴射比率を設定することができる。これにより、実噴射圧PACTが目標噴射圧PpTGTに達していない状態でも、通常燃焼からＮＯｘパージに切り替えた直後のトルクダウンをより効果的に抑制することができる。
【０１０５】
また、燃料の噴射比率は、メイン噴射量Qmとポスト噴射量Qpとの加算値である総噴射量Qtとは独立して制御可能であることから、総噴射量Qtの大小に左右されることなくトルクの落ち込みを回避することができる。例えば、吸気量がＮＯｘパージへの切り替え直後に変動した場合であっても、実空燃比を目標空燃比に追従させたままの状態でメイン噴射量Qmとポスト噴射量Qpとを同時に増減させることができる。したがって、エンジン１０のトルクダウンを抑制しつつ作動状態を安定化させることができる。
【０１０６】
本実施形態の制御装置１では、実噴射圧PACTが目標噴射圧PpTGTに収束した場合に、噴射比率が予め設定された所定の噴射比率に固定されるので、制御構成を簡素化することができる。また、実噴射圧PACTが目標噴射圧PpTGTに収束する過程で、噴射比率が所定の噴射比率に近づくように制御されるため、図７中における時刻t4の前後でのトルク変動や燃焼状態の急変を招くおそれがなく、エンジン１０の作動状態をより安定化させることができる。
【０１０７】
また、本実施形態の制御装置１では、噴射圧のずれ量が大きいほどメイン噴射量Qmが多くなるように（ずれ量が大きいほどメイン噴射量Qmの割合が増大するように）噴射比率が変更される。つまり、ずれ量が大きいほど、燃料が燃えやすいメイン噴射によって多くの燃料が噴射されることになるので、目標噴射圧PpTGTと実噴射圧PACTとの間にずれがあっても、通常燃焼からＮＯｘパージに切り替えた直後のトルクダウンを効果的に抑制することができる。
なお、第一，第二実施形態と同様の構成からは、同様の作用効果を得ることができる。
【０１０８】
［４．その他］
以上、本発明の実施形態を説明したが、本発明は上記の実施形態に限定されるものではなく、本発明の趣旨を逸脱しない範囲で種々変形することが可能である。
上述の各実施形態では、目標噴射圧PpTGTと実噴射圧PACTとのずれ量として差ΔPが用いられる場合を例示したが、噴射圧のずれ量はこれに限られず、目標噴射圧PpTGTに対する実噴射圧PACTの比をずれ量としてもよい。あるいは、パージ処理の前後における目標噴射圧PTGTの変化量（PpTGT−PnTGT）に対する、実噴射圧PACTの変化量の比をずれ量としてもよいし、パージ処理の前後における目標噴射圧PTGTの変化量（PpTGT−PnTGT）に対する目標噴射圧PpTGTと実噴射圧PACTとの差の比をずれ量としてもよい。
【０１０９】
上述の各実施形態では、開始筒内温度Tcpが低いほど進角量Δtpを増大補正する場合を例示したが、開始筒内温度Tcpに基づく補正は上述した手法に限られない。例えば、開始筒内温度Tcpが所定温度以上の場合には、補正量をゼロ、或いは、補正係数を１に設定し、開始筒内温度Tcpが所定温度よりも低い場合にポスト噴射時期tpを進角補正する構成にしてもよい。なお、開始筒内温度Tcpに基づく補正を省略してもよい。この場合、取得部４を省略可能であり、制御構成を簡素化することができる。
【０１１０】
上述の各実施形態では、ＮＯｘパージへの切り替え直前の通常燃焼において、ポスト噴射はされていないものとしたが、通常燃焼時の噴射形態は特に限られず、ポスト噴射が行われていてもよい。この場合、上述の第二，第三実施形態において、通常燃焼からＮＯｘパージへ切り替えられたときの噴射量や噴射比率の設定に際し、通常燃焼時のポスト噴射量を考慮すればよい。また、上述の第二，第三実施形態では、メイン噴射量Qmの最小値Qmoが固定値として設定されている場合を例示したが、最小値Qmoはこれに限られない。例えば、総噴射量Qtに対する最小値Qmoの割合を予め設定しておき、総噴射量Qtを算出したうえで最小値Qmoを算出する構成であってもよい。すなわち、最小値Qmoが総噴射量Qtに応じた変数として与えられてもよい。
【０１１１】
上述の各実施形態では、進角量Δtpの基準となる時期（タイミング）が所定のポスト噴射時期tpoとなっているが、所定のポスト噴射時期tpoの代わりに所定のクランク角θを基準としてもよいし、メイン噴射時期tmを基準としてもよい。例えば、ずれ量（例えば差ΔP）が大きいほど、メイン噴射時期tmとポスト噴射時期tpとの間隔（すなわち、クランク角θの間隔であって、クランク角度差Δθ）が狭くなるように、ポスト噴射時期tpを制御してもよい。つまり、制御部５が、パージ処理での筒内噴射弁１２の目標噴射圧PpTGTと実噴射圧PACTとのずれ量に基づき、メイン噴射時期tmとポスト噴射時期tpとのクランク角度差Δθを増減させてもよい。この場合、ずれ量が大きいほどクランク角度差Δθを小さく設定し、ずれ量が減少するに連れてクランク角度差Δθを大きく設定することが考えられる。このような制御であっても、上述の実施形態と同様の効果を奏するものとなる。
【０１１２】
上述の実施形態では、パージ処理としてＮＯｘパージを例示したが、上述したＮＯｘパージに関する制御を、触媒３２Ａから硫黄成分を放出，除去させるＳパージに適用してもよい。
なお、エンジン１０は、上述した構成のディーゼルエンジンに限られず、他の構成のディーゼルエンジンであってもよいし、ガソリンエンジンであってもよい。
【符号の説明】
【０１１３】
１  制御装置
２  推定部
３  判定部
４  取得部
５  制御部
６  設定部
１０  エンジン
１２  筒内噴射弁
３２Ａ  触媒
FC  燃料カット時間
LE  低負荷運転の継続時間
PACT  実噴射圧
PTGT  目標噴射圧
PnTGT  通常燃焼時の目標噴射圧
PpTGT  ＮＯｘパージでの目標噴射圧
tm  メイン噴射時期
tp  ポスト噴射時期
tpo  収束したときのポスト噴射時期
Tc  筒内温度
Tcp  開始筒内温度
WT  水温（冷却水温度）
ΔP  差（ずれ量）
Δtp  進角量（補正量）
【図１】
0006520409.tif 000002
【図２】
0006520409.tif 000003
【図３】
0006520409.tif 000004
【図４】
0006520409.tif 000005
【図５】
0006520409.tif 000006
【図６】
0006520409.tif 000007
【図７】
0006520409.tif 000008